(57)【要約】      （修正有）【課題】手摺ベルトに収縮が生じたことを早期に検知することができる乗客コンベアを提供する。【解決手段】主枠１１内を循環移動する複数のステップと、ステップの両側に立設された一対の欄干と、欄干に設けられステップの循環移動に同期して欄干の周囲を移動する手摺ベルト１７と、手摺ベルト１７を駆動する手摺駆動装置と、手摺ベルト１７を下方に押圧して手摺ベルト１７に張力を付与する当接体５４と、当接体５４を下方へ付勢する付勢部５６と、当接体５４の上方への移動を検出する検出部５８とを備える。【選択図】図３
2014213999.tif 000002
【特許請求の範囲】
【請求項１】
主枠内を循環移動する複数のステップと、前記ステップの両側に立設された一対の欄干と、前記欄干に設けられ前記ステップの循環移動に同期して前記欄干の周囲を移動する手摺ベルトと、前記手摺ベルトを駆動する手摺駆動装置と、前記手摺ベルトを下方に押圧して手摺ベルトに張力を付与する当接体と、前記当接体を下方へ付勢する付勢部と、前記当接体の上方への移動を検出する検出部とを備えることを特徴とする乗客コンベア。
【請求項２】
前記当接体が、前記手摺ベルトを移動方向へ案内するローラであることを特徴とする請求項１に記載の乗客コンベア。
【請求項３】
前記検出部が前記当接体の上方への移動を検出する位置より上方へ前記当接体が移動するのを規制するストッパを備えることを特徴とする請求項１又は２に記載の乗客コンベア。
【請求項４】
前記検出部は、所定時間継続して前記当接体の上方への移動を検出すると前記手摺ベルトの異常を検出することを特徴とする請求項１〜３のいずれか１項に記載の乗客コンベア。
【発明の詳細な説明】
【技術分野】
【０００１】
本発明は、乗客コンベアに関する。
【背景技術】
【０００２】
乗客コンベアは、ステップチェーンによって無端状に連結され、主枠内を循環移動する複数のステップを備え、ステップ上の乗客を乗口から降口へ搬送する。ステップの両側には、欄干が立設され、この欄干の周囲に設けられた無端状の手摺ベルトが、ステップと同じ方向に同じ速度で循環移動する。
【０００３】
手摺ベルトを駆動する手摺駆動装置は、外周面がゴムなどの摩擦係数の高い材料で形成されている駆動ローラを備え、駆動ローラの外周面に手摺ベルトの内周面が巻き掛けられている。そして、手摺駆動装置は、駆動ローラが駆動装置から駆動力の伝達を受けることで、駆動ローラの外周面と手摺ベルトの内周面との摩擦力により手摺ベルトを駆動する。
【０００４】
このような手摺駆動装置では、手摺ベルトと駆動ローラとの間に充分な摩擦力を発生させるために、押圧体を手摺ベルトの内周面に押し付けて手摺ベルトに張力を与えるようになっている（例えば、下記特許文献１参照）。
【先行技術文献】
【特許文献】
【０００５】
【特許文献１】特開２００１−１９３３４号
【発明の概要】
【発明が解決しようとする課題】
【０００６】
ところで、手摺ベルトは、温度・湿度等の使用環境や使用条件や経年変化等により伸縮する。手摺ベルトに伸びが生じると、張力の低下に伴ってたるみの発生や走行抵抗の増加などを引き起こし手摺ベルトの移動が不安定となるため、手摺ベルトの異常を検知しやすい。一方、手摺ベルトに収縮が生じると、張力が増大して手摺ベルト、手摺駆動装置などに過負荷がかかるが、手摺ベルトや手摺駆動装置が破損するまで手摺ベルトの移動が不安定にならないため、手摺ベルトの異常を検知しにくい。手摺ベルトや手摺駆動装置が破損すると、破損した部品の交換が必要となり多くの時間と費用を要することになる。
【０００７】
そこで、手摺ベルトに収縮が生じたことを早期に検知することができる乗客コンベアを提供することを目的とする。
【課題を解決するための手段】
【０００８】
実施形態に係る乗客コンベアは、主枠内を循環移動する複数のステップと、前記ステップの両側に立設された一対の欄干と、前記欄干に設けられ前記ステップの循環移動に同期して前記欄干の周囲を移動する手摺ベルトと、前記手摺ベルトを駆動する駆動装置と、前記手摺ベルトを下方に押圧して手摺ベルトに張力を付与する当接体と、前記当接体を下方へ付勢する付勢部と、前記当接体の上方への移動を検出する検出部とを備えることを特徴とする。
【図面の簡単な説明】
【０００９】
【図１】本発明の一実施形態に係る乗客コンベアの側面図である。
【図３】張力付与装置の正面図である。
【図２】図２のＡ−Ａ断面図である。
【発明を実施するための形態】
【００１０】
以下、本発明の一実施形態について、図面を参照して説明する。
【００１１】
本実施形態では、乗客コンベア１０として図１に例示するような建物の上下階に跨って傾斜して設置され複数のステップ１５が上下階にわたって移動するエスカレータの場合を説明するが、本発明は、ステップが水平方向に移動する動く歩道に対しても適用することができる。
【００１２】
本実施形態の乗客コンベア１０は、建物などの上下階に跨って床下に設置されたトラスと呼ばれる主枠１１を備える。主枠１１の内部には、上階側と下階側とにそれぞれ左右一対のスプロケット１２が配置されており、上階側のスプロケット１２と下階側のスプロケット１２との間に、左右一対の無端状のステップチェーン１３がそれぞれ巻き掛けられている。上階側あるいは下階側のスプロケット１２の少なくとも一方は、電動機や減速機などを有する駆動装置１４の駆動により回転する構造となっている。
【００１３】
そして、主枠１１の内部の上階側に設けられた制御部１８により駆動装置１４が制御され、スプロケット１２が回転すると、スプロケット１２に噛み合うステップチェーン１３に駆動力が伝達され、ステップチェーン１３が主枠１１内で上下階にわたって循環移動する。
【００１４】
主枠１１上には、ステップ１５の幅に相当する所定の間隔をあけて左右一対の欄干１６が互いに平行に立設されている。各欄干１６の周囲には手摺ベルト１７が装着されている。手摺ベルト１７は、手摺駆動装置３０によって駆動され、ステップ１５の循環移動と同期して欄干１６の周囲を周回する。
【００１５】
手摺駆動装置３０は、駆動ローラ３１を備え、この駆動ローラ３１の周面に手摺ベルト１７の内周面が巻き掛けられている。この駆動ローラ３１には、不図示の動力伝達手段により駆動装置１４から駆動力が伝達され、駆動ローラ３１の周面と手摺ベルト１７の内周面との摩擦力により、手摺ベルト１７が駆動される。
【００１６】
また、駆動ローラ３１に巻き掛けられた手摺ベルト１７の外周面に接して、複数の押圧ローラ３２が回転可能に設けられている。各押圧ローラ３２の両側面にそれぞれ複数のリンクプレート３３が設けられている。各リンクプレート３３は、両端部に貫通孔を備え、押圧ローラ３２の一方の側面に設けられたリンクプレート３３と、他方の側面に設けられたリンクプレート３３とが、リンクプレート３３の貫通孔と押圧ローラ３２の中心軸を貫くピン又は押圧ローラ３２を回動可能に支持するブッシュにより接続されている。これらのリンクプレート３３が互いに連結することにより、所定の長さを有するチェーン状になって複数の押圧ローラを連結している。
【００１７】
チェーン状に連結しているリンクプレート３３のうち、一方の端部に設けられたリンクプレート３３には、支持部材３５が取り付けられている。この支持部材３５は、主枠１１の梁などに取り付けられて固定される。一方、他方の端部に設けられたリンクプレート３３には、ねじ棒３６が取り付け固定されている。このねじ棒３６は、主枠１１に固定される支持部材３７を貫通して支持部材３７よりも外方に突出しており、支持部材３７より突出する部分に圧縮ばね３８が設けられるとともに、ナット３９が回転可能に取り付けられている。
【００１８】
このような手摺駆動装置３０は、ねじ棒３６に螺合するナット３９を回転させて支持部材３７から突出するねじ棒３６が長くなるように軸方向に移動させることにより、押圧ローラ３２は、手摺ベルト１７に対して駆動ローラ３１側に向かう押圧力を加えている。各押圧ローラ３２は手摺ベルト１７の一定区間にわたって接触押圧することで、略均等な荷重で手摺ベルト１７を押圧する。この押圧ローラ３２からの押圧力により、駆動ローラ３１と手摺ベルト１７との摩擦力が高められ、手摺ベルト１７がより確実に駆動ローラ３１に密着する。これにより手摺ベルト１７がスリップすることを防止して、確実に手摺ベルトが駆動されるようにしている。そして、ねじ棒３６に螺合するナット３９により支持部材３７から突出するねじ棒３６の長さを調整することにより、押圧ローラ３２の手摺ベルト１７に対する押圧力を調整することができるようになっている。
【００１９】
また、手摺ベルト１７の長手方向の途中、例えば、帰路側の下部には、たるみ取り部５０が設けられている。たるみ取り部５０には張力付与装置５２が設けられ、手摺ベルト１７を下方へ押圧力を付与することで、手摺ベルト１７に適切な張力を与えてたるみを吸収する。
【００２０】
図２及び図３に示すように、張力付与装置５２は、手摺ベルト１７の内周面に当接する当接ローラ５４と、当接ローラ５４を下方へ付勢する付勢部５６と、当接ローラ５４の上方への移動を検出する検出部５８を備える。この張力付与装置５２は、平板状のベース５９に固定されており、ベース５９に設けられた長孔６８に取付ボルト７０が挿入されベース５９を介して主枠１１に固定されている。
【００２１】
当接ローラ５４は、回転軸６０に回転可能に支持されており、手摺ベルト１７の内周面を下方へ押圧することで、移動方向へ案内しながら手摺ベルト１７に張力を付与する。当接ローラ５４を回転可能に支持する回転軸６０は、付勢部５６を介してベース５９に固定された支持部材６２に固定されている。
【００２２】
支持部材６２は、ベース５９に対して所定間隔をあけて平行に配置され回転軸６０が固定される軸取付面６２ａと、軸取付面６２ａの上端から回転軸６０が突出する方向とは反対側に配置されたベース５９に向けて垂直に屈曲する当接面６２ｂとを備える。
【００２３】
軸取付面６２ａとベース５９との間には、２枚の板バネからなる付勢部５６が軸取付面６２ａに対して傾斜させた状態で互いに略平行に配置されている。つまり、軸取付面６２ａとベース５９と２枚の板バネからなる付勢部５６は略平行四辺形状に配置されている。この付勢部５６は、支持部材６２を介して当接ローラ５４を下方へ付勢している。
【００２４】
支持部材６２の当接面６２ｂの上方には取付金具６４がベース５９から突出し、当接面６２ｂが取付金具６４と上下に間隔をあけ上下方向に移動可能にボルト６６で連結されている。
【００２５】
これにより、外部より当接ローラ５４に応力が作用していない自然状態では、当接面６２ｂがその下面に位置するボルト６６の頭部に当接する。一方、当接ローラ５４が上方に押され付勢部５６の付勢力に反して当接ローラ５４が上方へ移動すると、当接面６２ｂがボルト６６を摺動しながら上方へ移動し、当接面６２ｂの上面が取付金具６４に当接し、支持部材６２の上方への更なる移動を規制する。つまり、取付金具６４が当接ローラ５４の上方への移動を規制するストッパとして機能する。
【００２６】
検出部５８は、ベース５９に固定された検出スイッチから構成され、検出スイッチの作動片５８ａが支持部材６２の当接面６２ｂの上方に配置されており、当接ローラ５４の上方への移動に伴う支持部材６２の上方の移動を検出する。
【００２７】
検出部５８は、支持部材６２の当接面６２ｂが作動片５８ａに当接しこれを押圧すると、検出信号を乗客コンベア１０の制御部１８に出力する。制御部１８は、検出部５８から検出信号が入力されたことを信号が入力された日時と共に記憶する。
【００２８】
そして、乗客コンベア１０のメンテナンス時に作業者が制御部１８に記憶された検出信号を確認すると、手摺ベルト１７の張力が適正値になるように、張力付与装置５２が取り付けられたベース５９の主枠１１に対する取り付け位置を調整する。
【００２９】
以上のような本実施形態の乗客コンベア１０では、手摺ベルト１７が収縮すると、手摺ベルト１７の張力が増大し、張力付与装置５２の当接ローラ５４を上方へ移動させる力が作用する。手摺ベルト１７の収縮量が所定量より大きくなり、手摺ベルト１７から当接ローラ５４に作用する力が所定量より大きくなると、付勢部５６の下向きの付勢力に反して当接ローラ５４が上方へ移動して、支持部材６２の当接面６２ｂが検出部５８の作動片５８ａを押圧操作する。これにより、乗客コンベア１０の制御部１８は、検出部５８より検出信号が入力され、手摺ベルト１７の収縮を検知することができる。これにより、手摺ベルト１７に収縮が生じたことを早期に検知することができ、手摺ベルトや手摺駆動装置が破損する前に、手摺ベルト１７の張力を適正値に調整することができ、部品の破損を抑えることができる。
【００３０】
また、本実施形態では、支持部材６２の当接面６２ｂが、検出部５８の作動片５８ａを押圧操作した位置より上方へ移動すると取付金具６４に当接して上方への更なる移動が規制されるため、検出部５８を構成する検出スイッチの破損を防止することができる。
【００３１】
なお、乗客コンベア１０の制御部１８は、検出部５８より検出信号が所定時間継続して入力された場合に、手摺ベルト１７の収縮を検知してもよい。これにより、乗客等が手摺ベルト１７に張力を与えた場合に検出部５８の作動片５８ａが押圧されても、これを手摺ベルト１７の収縮と誤検出することが無くなり、検出精度を向上させることができる。
【００３２】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３３】
１０…乗客コンベア、１１…主枠、１２…スプロケット、１３…ステップチェーン１４…駆動装置、１５…ステップ、１６…欄干、１７…手摺ベルト、１８…制御部、３０…手摺駆動装置、５０…たるみ取り部、５２…張力付与装置、５４…当接ローラ、５６…付勢部、５８…検出部、５８ａ…作動片、５９…ベース、６０…回転軸、６２…支持部材、６２ａ…軸取付面、６２ｂ…当接面、６４…取付金具、６６…ボルト、６８…長孔、７０…取付ボルト
【図１】
2014213999.tif 000003
【図２】
2014213999.tif 000004
【図３】
2014213999.tif 000005
【手続補正書】
【提出日】平成26年6月16日(2014.6.16)
【手続補正１】
【補正対象書類名】特許請求の範囲
【補正対象項目名】全文
【補正方法】変更
【補正の内容】
【特許請求の範囲】
【請求項１】
主枠内を循環移動する複数のステップと、前記ステップの両側に立設された一対の欄干と、前記欄干に設けられ前記ステップの循環移動に同期して前記欄干の周囲を移動する手摺ベルトと、前記手摺ベルトを駆動する手摺駆動装置と、前記手摺ベルトを下方に押圧して手摺ベルトに張力を付与する当接体と、前記当接体を下方へ付勢する付勢部と、前記当接体の上方への移動を検出する検出部とを備え、
前記検出部が前記当接体の上方への移動を検出する位置より上方へ前記当接体が移動するのを規制するストッパを備えることを特徴とする乗客コンベア。
【請求項２】
前記当接体が、前記手摺ベルトを移動方向へ案内するローラであることを特徴とする請求項１に記載の乗客コンベア。
【請求項３】
前記検出部は、所定時間継続して前記当接体の上方への移動を検出すると前記手摺ベルトの異常を検出することを特徴とする請求項１又は２に記載の乗客コンベア。
【手続補正２】
【補正対象書類名】明細書
【補正対象項目名】０００８
【補正方法】変更
【補正の内容】
【０００８】
実施形態に係る乗客コンベアは、主枠内を循環移動する複数のステップと、前記ステップの両側に立設された一対の欄干と、前記欄干に設けられ前記ステップの循環移動に同期して前記欄干の周囲を移動する手摺ベルトと、前記手摺ベルトを駆動する駆動装置と、前記手摺ベルトを下方に押圧して手摺ベルトに張力を付与する当接体と、前記当接体を下方へ付勢する付勢部と、前記当接体の上方への移動を検出する検出部とを備え、前記検出部が前記当接体の上方への移動を検出する位置より上方へ前記当接体が移動するのを規制するストッパを備えることを特徴とする。